(57)【要約】
【課題】  構造が軽便でかつ使用上便利なリールを提供する。
【解決手段】  主体２０の内部は中空であり、軸孔、横向き孔および開口が設けられており、釣竿１２上に接設することができる連接部２８を有する。伝動構造は主体２０内部に収容され、入力端と出力端とを有し、入力端は横向き孔を通って主体２０から穿出し、出力端は軸孔を通って主体２０から穿出している。伝動構造の１部分は開口が存在する空間を占めている。ハンドル４０は伝動構造の入力端に接設され、伝動構造を駆動することができる。ローター４４は伝動構造の出力端に接設され、伝動構造経由でハンドル４０により駆動されて回転する。スプール４６は伝動構造の出力端に接設され、伝動構造経由でハンドル４０により駆動されて前後往復運動をする。カバー４８は主体２０外縁に設けられ、開口を覆い隠す。
【選択図】    図１
0003100915.tif 000002
【実用新案登録請求の範囲】
【請求項１】
内部が中空であり、１個の軸孔、１個の横向き孔および少なくとも１個の開口が設けられており、１個の釣竿上に接設することが可能である１個の連接部を有する１個の主体と、
該主体内部に収容される伝動構造であって、該伝動構造は１個の入力端と１個の出力端とを有し、該入力端は該横向き孔を通って該主体から穿出し、該出力端は該軸孔を通って該主体から穿出し、該伝動構造の１部分は該開口が存在する空間を占めている１個の伝動構造と、
該伝動構造の入力端に接設され、該伝動構造を駆動可能な１個のハンドルと、
該伝動構造の出力端に接設され、該伝動構造経由で該ハンドルにより駆動されて回転する１個のローターと、
該伝動構造の出力端に接設され、該伝動構造経由で該ハンドルにより駆動されて前後往復運動をする１個のスプールと、
該主体外縁に設けられ、該開口を覆い隠す１個のカバーと、
を備えることを特徴とするリール。
【請求項２】
該伝動構造は、１個のギヤを備え、該ギヤの１部分は該開口が存在する空間を占めていることを特徴とする請求項１記載のリール。
【請求項３】
該伝動構造は、１個のガイド部品を備え、該ガイド部品の１部分は該開口が存在する空間を占めていることを特徴とする請求項１記載のリール。
【考案の詳細な説明】
【技術分野】
【０００１】
本考案は、釣用具に関し、特に、極めて有効に空間利用し、構造が軽便でかつ使用上便利な１種のリールに関する。
【背景技術】
【０００２】
従来のリールは、１個の主体、該主体内部に設けられる１個の伝動構造、該主体上に設けられ、かつ該伝動構造を駆動することができる１個のハンドル、該主体に設けられ、かつ該伝動構造により駆動されて回転する１個のローター、該主体に設けられ、かつ該伝動構造により駆動されて往復移動する１個のスプールおよび該主体の外縁に設けられ、ボルトなどの部品を覆い隠して表面の美観を増すのに用いられる１個のカバーを含む。その内、該伝動構造はギヤ、スピンドルおよびガイド部品などの部品から構成され、該伝動構造が作動している時、ギヤは回転運動をし、スピンドルとガイド部品とは前後往復運動をする。このため、該主体内部は、該伝動構造を収容して各部品が内部空間中で作動できる十分な空間を備えている必要があり、それゆえ、一般に該主体の体積は相当大きく、全体の重量が増加するだけでなく、同時に操作上も比較的不便である。
【考案の開示】
【考案が解決しようとする課題】
【０００３】
上述の欠点に鑑み、本考案の主要な目的は、構造が軽便でかつ使用上便利な１種のリールを提供することである。
【課題を解決するための手段】
【０００４】
前述の目的を達成するために、本考案が提供するリールは、１個の主体、１個の伝動構造、１個のハンドル、１個のローター、１個のスプールおよび１個のカバーを含む。該主体内部は中空であり、該主体上には１個の軸孔、１個の横向き孔および少なくとも１個の開口が設けられており、該主体はまた１個の釣竿上に接設することができる１個の連接部を有する。該伝動構造は該主体内部に収容され、該伝動構造は１個の入力端と１個の出力端とを有し、該入力端は該横向き孔を通って該主体から穿出し、該出力端は該軸孔を通って該主体から穿出している。該伝動構造の１部分は該開口が存在する空間を占めている。該ハンドルは該伝動構造の入力端に接設されて該伝動構造を駆動することができる。該ローターは該伝動構造の出力端に接設され、該伝動構造経由で該ハンドルにより駆動されて回転する。該スプールは該伝動構造の出力端に接設され、該伝動構造経由で該ハンドルにより駆動されて前後往復運動をする。該カバーは該主体外縁に設けられ、該開口を覆い隠す。これにより、該リールは構造が軽便で使用上便利であるという利点を有する。
【考案を実施するための最良の形態】
【０００５】
本考案の特徴をさらにご理解いただくために、ここに以下の比較的よい一実施例をあげ、図面に基づき以下の通り説明する。
図１から図３をご参照いただきたい。本考案の比較的よい一実施例が提供するリール１０は、１個の主体２０、１個の伝動構造３０、１個のハンドル４０、１個のローター４４、１個のスプール４６および１個のカバー４８を含む。
【０００６】
該主体２０内部は中空であり、１個の収容空間２２を有する、該主体２０上は１個の軸孔２３、１個の横向き孔２４、１個の第１開口２５および１個の第２開口２６を有し、該主体２０はまた１個の釣竿１２上に接設できる１個の連接部２８を有し、同時に、該主体２０上には若干の固定用のボルト２９が設けられている。
【０００７】
該伝動構造３０は若干のボルト３１により該主体２０の収容空間２２中に設けられる。該伝動構造３０は該横向き孔２４を通って該主体２０から穿出する１個の入力端３２、該軸孔２３を通って該主体２０から穿出する１個の出力端（すなわち１個のスピンドル）３３および該２端間に設けられて相互に噛合する複数のギヤ３４と１個のガイド部品３５とを有し、その内、該ガイド部品３５の片側には１個のギヤ３４上の１個の凸柱（図中非表示）が嵌入できる１個の長溝（図中非表示）が設けられ、これにより、該ギヤ３４の回転運動を該ガイド部品３５の直線往復運動に変換することができ、該スピンドル３３は該ガイド部品３５と連接しており、直線往復運動をすることができる。これらの構造は従来技術であるため、ここでは詳述しない。
【０００８】
該ハンドル４０は該伝動構造３０の入力端３２に接設され、該伝動構造３０を駆動することができる。該ローター４４は該伝動構造３０の出力端３３に接設され、該伝動構造３０経由で該ハンドル４０により駆動されて回転する。該スプール４６は該伝動構造３０の出力端３３（あるいはスピンドル）に接設され、該伝動構造３０経由で該ハンドル４０により駆動されて前後往復運動をする。該カバー４８は該主体２０の外縁に設けられ、該開口２５および開口２６と露出しているボルト２９およびボルト３１とを覆い隠すのに用いられる。
【０００９】
本実施例の特徴は以下の点にある：該伝動構造３０の１部分が該開口２５および開口２６が存在する空間を占めている。たとえば、該伝動構造３０の１個のギヤ３４はその底端が該第１開口２５中に伸入しており、該ガイド部品３５が最右端に移動する時（図３に示される通り）、その上端は該第２開口２６中に伸入する。このような設計により、該ガイド部品３５および該スプール４６の往復運動の行程に影響を与えないという前提のもと、効果的に該主体２０が占める空間を縮小することができ、全体の構造をさらに軽便にし、使用上さらに便利にして、効果的に従来構造の欠点を改善し、本考案の目的を達成することができる。
【００１０】
本考案の主旨にのっとり、該本体２０に該伝動構造３０の１個の部品（たとえば、ギヤあるいはガイド部品）が伸入できる１個あるいは１個以上の開口を設置することは特許範囲に含まれるものとする。また、該開口空間を占める伝動構造の部品の種類は無制限とする。
【図面の簡単な説明】
【００１１】
【図１】本考案の一実施例によるリールの正面図である。
【図２】本考案の一実施例によるリールの部分分解図である。
【図３】本考案の一実施例によるリールの伝動構造の概略図である。
【符号の説明】
【００１２】
１０  リール、１２  釣竿、２０  主体、２２  収容空間、２３  軸孔、２４  横向き孔、２５  第１開口、２６  第２開口、２８  連接部、２９  ボルト、３０  伝動構造、３１  ボルト、３２  入力端、３３  出力端、３４  ギヤ、３５  ガイド部品、４０  ハンドル、４４  ローター、４６  スプール、４８  カバー
【図１】
0003100915.tif 000003
【図２】
0003100915.tif 000004
【図３】
0003100915.tif 000005